(57)【要約】【課題】コネクタ本体の搭載位置ずれを補償する。【解決手段】カードコネクタ１０は、コネクタ本体２０と、カードトレイ３０を有する。コネクタ本体２０は回路基板上に搭載されて、その回路基板ごと機器筐体９０内に搭載される。カードトレイ３０は、カードを載せて、機器筐体９０の差込口９１から差し込まれる。ここで、カードトレイ３０は、カード載置部３１と外壁部３２とを有する。カード載置部３１は、カードを載置してコネクタ本体２０の受容空間２０Ａに受容される。外壁部３２は、機器筐体９０の差込口９１内に配置されて機器筐体９０の外面の９１の一部を成す。カード載置部３１は、軸部材３４により、外壁部３２に対し、左右方向に移動自在な遊びを持って支持されている。また、カード載置部３１と外壁部３２は、その軸部材３４により、上下方向に回転自在に連結されている。【選択図】図１
2016157556.tif 000002
【特許請求の範囲】
【請求項１】
カードが載置され、機器に搭載されたコネクタ本体に差し込まれるカードトレイであって、
カードが載置されるカード載置部と、
前記機器の筐体外面の一部を成す前面を有する外壁部とを備え、
前記カード載置部が、前記外壁部に、左右方向に移動自在な遊びをもつとともに上下に回転自在に支持されていることを特徴とする請求項１記載のカードトレイ。
【請求項２】
前記カード載置部が、前記外壁部前面に近づいた側の、上下方向の回転が制限される第１支持位置と、前記外壁部前面から遠ざかった側の、上下方向に回転自在な第２支持位置とに移動自在であることを特徴とする請求項１記載のカードトレイ。
【請求項３】
前記外壁部が、左右方向中央部に差込みの向きに突き出て左右に貫通する貫通孔が形成された突出部を有し、
前記カード載置部が、前記突出部の左右両側の、該突出部との間に隙間を空けた位置に延び、前記貫通孔に連通する取付穴が形成された一対の取付腕を有し、
当該カードトレイがさらに、前記貫通孔を貫通し、さらに前記一対の取付腕に形成された取付穴に挿通された軸部材を有し、前記カード載置部が、該軸部材を介して、左右方向に移動自在な遊びをもつとともに上下に回転自在に前記外壁部に支持されていることを特徴とする請求項１記載のカードトレイ。
【請求項４】
前記貫通孔が、該貫通孔を貫通する軸部材を、前記一対の取付腕を前記外壁部に突き当てることで前記トレイ載置部の回転を制限する第１支持位置と、前記一対の取付腕を前記外壁部から離すことで前記トレイ載置部を回転自在とする第２支持位置とに移動自在に支持する、挿抜方向に延びた長孔であることを特徴とする請求項３記載のカードトレイ。
【請求項５】
前記カード載置部が、左右方向中央部に取出しの向きに突き出て、左右に貫通するとともに挿抜方向に延びる長孔が形成された取付部を有し、
前記外壁部が、前記取付部の左右両側の、該取付部との間に隙間を空けた位置に延び、前記長孔に連通する支持穴が形成された一対の支持腕を有し、
当該カードトレイがさらに、前記長孔を貫通し、さらに前記一対の支持腕に形成された支持穴に挿通された軸部材を有し、前記カード載置部が、該軸部材を介して、左右方向に移動自在な遊びをもつとともに上下に回転自在かつ挿抜方向に移動自在に前記外壁部に支持されていることを特徴とする請求項１記載のカードトレイ。
【請求項６】
カードが載置されるカードトレイと、挿抜自在に差し込まれてきた該カードトレイを受容するコネクタ本体とを備えたカードコネクタであって、
前記カードトレイが、請求項１から５のうちのいずれか１項記載のカードトレイであることを特徴とするカードコネクタ。
【発明の詳細な説明】
【技術分野】
【０００１】
本発明は、カードを載せてコネクタ本体に差し込まれるカードトレイ、およびそのカードトレイを備えたカードコネクタに関する。
【背景技術】
【０００２】
ＳＩＭ（Ｓｕｂｓｃｒｉｂｅｒ  Ｉｎｄｅｎｔｉｔｙ  Ｍｏｄｕｌｅ）カード等のカードを受容するタイプのカードコネクタが広く使われている。このタイプのカードコネクタにも、大別して２つのタイプがある。そのうちの１つは、カードをカードトレイに載せてそのカードをカードトレイごとコネクタ本体内に差し込むタイプである。もう１つは、カードトレイを使用することなく、カードをコネクタに直接に差し込むタイプである。ここでは、カードトレイを使用するタイプのカードコネクタに着目している。
【０００３】
カードコネクタのコネクタ本体は、例えばスマートフォン等の機器内部の基板上に搭載される。そして、カードトレイを使用するタイプのカードコネクタの場合、その機器の筐体に設けられた差込口から、カードを載せた状態のカードトレイが差し込まれる。そして、その差込口から差し込まれたカードトレイが、カードとともに、機器内部のコネクタ本体内に受容される。そのカードトレイの差込み向きの後端面は、差込口を塞いで、機器筐体の外面の一部となる。
【０００４】
ここで、コネクタ本体の搭載位置ずれの許容度を広げることが求められている。コネクタ本体の搭載位置ずれは、基板上へのコネクタ本体の搭載位置ずれや、機器筐体内への基板の搭載位置ずれによって生じる。この搭載位置ずれの許容度が広がると、機器寸法精度や組立精度を下げることができる。
【０００５】
また、近年、ＳＩＭカード等のカードは、同一機能あるいは追加機能を備えながら小型化されつつある。例えばＳＩＭカードに関しては、それまで主流であったマイクロＳＩＭカードから、それよりも小型のナノＳＩＭカードに移行しつつある。カードが小型になると、それに伴って、そのカードを受容するカードコネクタも小型化される。カードコネクタが小型化されると、カードトレイとコネクタ本体との間の相対位置精度について、その小型化された分、高い精度が求められる。このため、小型化に伴って、要求される搭載位置精度が高まっている。
【０００６】
ここで、特許文献１には、トレイ本体と、そのトレイ本体に対し引出し可能に結合されたスライド摘みとからなるトレイを有するカードコネクタが開示されている。ただし、このスライド摘みは引出し（奥行き）方向には可動であるが、コネクタ本体の搭載位置ずれを補償するものではない。
【先行技術文献】
【特許文献】
【０００７】
【特許文献１】特開２０１３−１７８８８７号公報
【発明の概要】
【発明が解決しようとする課題】
【０００８】
本発明は、上記事情に鑑み、コネクタ本体の搭載位置ずれが補償されるカードトレイおよびカードコネクタを提供することを目的とする。
【課題を解決するための手段】
【０００９】
上記目的を達成する本発明のカードトレイは、カードが載置され、機器に搭載されたコネクタ本体に差し込まれるカードトレイであって、カードが載置されるカード載置部と、機器の筐体外面の一部を成す前面を有する外壁部とを備え、カード載置部が、外壁部に、左右方向に移動自在な遊びをもつとともに上下に回転自在に支持されていることを特徴とする。
【００１０】
コネクタ本体の搭載位置ずれで最も問題となるのは、左右方向の搭載位置ずれである。本発明のカードトレイは、カード載置部が、左右方向に移動自在な遊びをもって外壁部に支持されている。このため、コネクタ本体の、カードトレイを受け容れる受容口が、機器筐体の、カードトレイが差し込まれる差込口に対し左右にずれていても、そのずれが補償される。そして、カードトレイを機器から取り出すにあたり、カードトレイの外壁部に指の爪を掛けて引き出すことが多い。このとき、外壁部には、外壁部を上下に回転させる向きの力が働く。カード載置部が外壁部に上下に回転自在に支持されていると、外壁部に加わった上下に回転させる向きの力がカード載置部に伝わることが回避される。したがって、そのカード載置部を受容しているコネクタ本体やカード載置部に載置されているカードに無用な力が加わることが回避される。
【００１１】
また、本発明のカードトレイにおいて、カード載置部が、外壁部前面に近づいた側の、上下方向の回転が制限される第１支持位置と、外壁部前面から遠ざかった側の、上下方向に回転自在な第２支持位置とに移動自在であることが好ましい。
【００１２】
カードトレイが機器に差し込まれている状態にあるときは、外壁部とカード載置部は一体を成し、回転が制限されていることが望ましい。一方、カードトレイを引き抜こうとして外壁部に爪を掛けたときは外壁部が回転することが望ましい。
【００１３】
上記の通り、第１支持位置と第２支持位置とを設けると、カードトレイが差し込まれているときは、第１支持位置にあって回転が制限される。一方、カードトレイを抜き取ろうとして外壁部に爪を掛けると第２支持位置に移動して外壁部が回転自在となる。
【００１４】
また、本発明のカードトレイにおいて、
外壁部が、左右方向中央部に差込みの向きに突き出て左右に貫通する貫通孔が形成された突出部を有し、
カード載置部が、突出部の左右両側の、突出部との間に隙間を空けた位置に延び、上記貫通孔に連通する取付穴が形成された一対の取付腕を有し、
このカードトレイがさらに、上記貫通孔を貫通し、さらに上記一対の取付腕に形成された取付穴に挿通された軸部材を有し、カード載置部が、その軸部材を介して、左右方向に移動自在な遊びをもつとともに上下に回転自在に外壁部に支持されていることが好ましい態様の１つである。
【００１５】
この態様のカードトレイによれば、左右の位置ずれが補償され、かつ外壁部が上下方向に回転自在な構造が実現する。
【００１６】
また、この態様のカードトレイにおいて、上記貫通孔が、その貫通孔を貫通する軸部材を、上記一対の取付腕を外壁部に突き当てることでトレイ載置部の回転を制限する第１支持位置と、上記一対の取付腕を外壁部から離すことでトレイ載置部を回転自在とする第２支持位置とに移動自在に支持する、挿抜方向に延びた長孔であることが好ましい。
【００１７】
この長孔を設けることにより、回転が制限される第１支持位置と、回転自在な第２支持位置とに移動自在な構造が実現する。
【００１８】
さらに、本発明のカードトレイにおいて、
上記カード載置部が、左右方向中央部に取出しの向きに突き出て、左右に貫通するとともに挿抜方向に延びる長孔が形成された取付部を有し、
上記外壁部が、取付部の左右両側の、取付部との間に隙間を空けた位置に延び、上記長孔に連通する支持穴が形成された一対の支持腕を有し、
このカードトレイがさらに、上記長孔を貫通し、さらに上記一対の支持腕に形成された支持穴に挿通された軸部材を有し、カード載置部が、その軸部材を介して、左右方向に移動自在な遊びをもつとともに上下に回転自在かつ挿抜方向に移動自在に外壁部に支持されていることも好ましい態様の１つである。
【００１９】
この態様のカードトレイによれば、コネクタ本体の左右方向の搭載位置ずれが補償されるとともに、奥行き方向の搭載位置ずれも補償される。
【００２０】
さらに、上記目的を達成する本発明のカードコネクタは、カードが載置されるカードトレイと、挿抜自在に差し込まれてきたカードトレイを受容するコネクタ本体とを備えたカードコネクタであって、上記カードトレイが、上記のいずれかの態様のカードトレイであることを特徴とする。
【発明の効果】
【００２１】
以上の本発明によれば、コネクタ本体の搭載位置ずれが補償されるカードトレイおよびカードコネクタが実現する。
【図面の簡単な説明】
【００２２】
【図１】本発明の第１実施形態としてのカードコネクタの平面図である。
【図２】カードトレイの斜視図である。
【図３】カードトレイの平面図である。
【図４】カードトレイの、図３に示す矢印Ａ−Ａに沿う断面図である。
【図５】第２実施形態のカードトレイの、図３に示す矢印Ａ−Ａに沿う断面図である。
【図６】第２実施形態のカードトレイの振る舞いを示した、カードトレイの側面図である。
【図７】第２実施形態のカードトレイの、機器筐体への挿抜の様子を順を追って示した模式図である。
【図８】第３実施形態のカードトレイの斜視図である。
【図９】第３実施形態のカードトレイの平面図である。
【図１０】図９に示す矢印Ｂ−Ｂに沿う断面図である。
【図１１】第３実施形態のカードトレイの、機器筐体への挿抜の様子を順を追って示した模式図である。
【発明を実施するための形態】
【００２３】
以下、本発明の実施の形態を説明する。
【００２４】
図１は、本発明の第１実施形態としてのカードコネクタの平面図である。
【００２５】
このカードコネクタ１０は、ＳＩＭカード用のカードコネクタである。このカードコネクタ１０は、コネクタ本体２０とカードトレイ３０とを有する。
【００２６】
コネクタ本体２０は、金属シェル２１と本体ハウジング２２とを有する。本体ハウジング２２は、金属シェル２１に覆われていて、図１には僅かしか現れていない。そして、それら金属シェル２１と本体ハウジング２２との間には、カードトレイ３０を受容する受容部２０Ａが形成されている。
【００２７】
本体ハウジング２２には、点線で示す複数のコンタクト２２１が配置されている。それらのコンタクト２２１は、不図示の回路基板上に半田接続される。そして、その半田接続により回路基板上に搭載されたコネクタ本体２０は、その回路基板とともに機器筐体９０内に搭載される。
【００２８】
ここで、このコネクタ本体２０は、回路基板の裏面に搭載され、この図１に示す面が下向きとなる姿勢に、機器筐体９０内に配置される。
【００２９】
この図１には、機器筐体９０内に搭載された状態のコネクタ本体２０に受容された姿勢のカードトレイ３０が示されている。このカードトレイ３０にはＳＩＭカード４０が載置される。ＳＩＭカード４０には、接続パッド４１が設けられている。この図１では、この図１に示す面が下向きのため、ＳＩＭカード４０は、カードトレイ３０の裏に隠れた位置にある。
【００３０】
このカードトレイ３０は、機器筐体９０に設けられている差込口９１から矢印Ｉの向きに差し込まれる。コネクタ本体２０は、機器筐体９０内の差込口９１に面した位置に搭載されている。そして、このコネクタ本体２０は、受容空間２０Ａに繋がる受容口２０Ｂを差込口９１に向けた姿勢に搭載されている。筐体９０の差込口９１から矢印Ｉの向きに差し込まれたカードトレイ３０は、受容口２０Ｂからコネクタ本体２０内に差し込まれて、受容空間２０Ａに受容される。
【００３１】
図２は、カードトレイの斜視図である。
【００３２】
また、図３は、カードトレイの平面図である。
【００３３】
さらに、図４は、カードトレイの、図３に示す矢印Ａ−Ａに沿う断面図である。
【００３４】
これら図２〜図４には、ＳＩＭカード４０（図１参照）が載置されていない状態のカードトレイが示されている。
【００３５】
以下、図１とともに図２〜図４を合わせて参照しながら、カードトレイについて説明する。
【００３６】
このカードトレイ３０は、カード載置部３１と外壁部３２とを備えている。
【００３７】
カード載置部３１は、中央の広い部分が平板３１１に形成され、その周囲にＳＩＭカード４０（図１参照）の外形に沿った枠３１２が形成されている。
【００３８】
この平板３１１の上に、ＳＩＭカード４０が、接続パッド４１（図１参照）が形成された面を上に向けた姿勢で載置される。このＳＩＭカード４０を載置したカードトレイ３０が機器筐体９０の差込口９１から差し込まれる。すると、カード載置部３１は、コネクタ本体２０の受容口２０Ｂからそのコネクタ本体２０に差し込まれて、受容空間２０Ａに受容される。そして、受容空間２０Ａに受容されたカード載置部３１に載置されているＳＩＭカード４０の接続パッド４１がコネクタ本体２０内のコンタクト２２１（図１参照）に接触する。このコンタクト２２１の半田接続部２２１ａ（図１参照）は、コネクタ本体２０が搭載されている回路基板に半田接続されている。このため、受容空間２０Ａに受容されたＳＩＭカード４０は、コネクタ本体２０内のコンタクト２２１を介して回路基板に電気的に接続される。
【００３９】
一方、カードトレイ３０の外壁部３２は、カード載置部３１が受容空間２０Ａに受容された状態において、機器筐体９０の差込口９１内に配置される。この状態において、外壁部３２の前面３２１は、機器筐体９０の外面９２の一部を成している。また、この外壁部３２は、Ｏリング３２２を備えている。Ｏリング３２２は、差込口９１の内壁に接し、この機器筐体９０内への水の浸入を防ぐ防水の役割を担っている。
【００４０】
また、この外壁部３２の外周の上部には、凹部３２３が形成されている。この凹部３２３には、このカードトレイ３０を矢印Ｒの向きに抜き取る際に、指の爪が掛けられる。この凹部３２３に指の爪を掛けてカードトレイ３０を手前（矢印Ｒの向き）に引くことで、カードトレイ３０を機器筐体９０から抜き取ることができる。
【００４１】
また、この外壁部３２には、左右方向中央部に、差込みの向き（矢印Ｉの向き）に突き出た突出部３２４が設けられている。この突出部３２４には、左右に貫通する貫通孔３２５が形成されている。また、カード載置部３１には、その突出部３２４の左右に延びた一対の取付腕３１３が設けられている。これら一対の取付腕３１３は、突出部３２４の左右両側であって、突出部３２４との間に隙間を空けた位置に延びている。そして、それらの取付腕３１３には、突出部３２４の貫通孔３２５に連通する位置に取付穴３１４が形成されている。
【００４２】
そして、このカードトレイ３０はさらに、突出部３２４の貫通孔３２５と一対の取付腕３１３の取付穴３１４に挿通された軸部材３４を有する。この軸部材３４は、貫通孔３２５と一対の取付穴３１４に挿通されて抜止めされている。カード載置部３１は、この軸部材３４を介して、外壁部３２に、左右方向に移動自在な遊びを持って支持されている。
【００４３】
上述した通り、コネクタ本体２０は回路基板に搭載され、そのコネクタ本体２０を搭載した回路基板が機器筐体９０内に搭載される。このため、機器筐体９０内に搭載されたコネクタ本体２０は、回路基板上に搭載される際、および回路基板が機器筐体９０に搭載される際に位置ずれする。したがって、コネクタ本体２０は、そのコネクタ本体２０の受容口２０Ｂが機器筐体９０の差込口９１に正しく面した位置からずれた位置に搭載されることがある。この位置ずれの中で、先ずは左右方向の位置ずれを補償する必要がある。なぜなら、上下方向の位置ずれについては、コネクタ本体２０内のコンタクト２２１がバネ性を持ってＳＩＭカード４０に接するため許容度が大きいからである。また、奥行き方向（矢印Ｉ−Ｒ方向）の位置ずれについては、トレイの挿入方向に沿って補償可能であるからである。
【００４４】
本実施形態のカードトレイ３０の場合、上記の通り、カード載置部３１が軸部材３４を介して外壁部３２に左右方向に移動自在な遊びを持って支持されている。このため、コネクタ本体２０が機器筐体９０の差込口９１に対し左右方向にずれた位置に搭載されていても、そのずれが補償される。すなわち、カードトレイ３０が差込口９１から差し込まれると、カード載置部３１は、コネクタ本体２０の左右方向の位置ずれの分だけ外壁部３２に対し左右方向に位置をずらしてコネクタ本体２０の受容空間２０Ａに受容される。したがって、外壁部３２は、コネクタ本体２０の左右方向の位置ずれとは無関係に、機器筐体９０の差込口９１内の正しい位置に配置される。
【００４５】
また、本実施形態におけるカード載置部３１１は、軸部材３４を回転軸として、外壁部３２に対し上下方向に回転自在となっている。
【００４６】
機器筐体９０に差し込まれた状態にあるカードトレイ３０を抜き取ろうとするときには、外壁部３２の凹部３２３に指の爪を掛けて手前側（矢印Ｒの向き）に引き抜く。このとき、外壁部３２を下向きに回転させる力が働く。この力がカード載置部３１に伝わると、カード載置部３１に載置されているＳＩＭカード４０がコネクタ本体２０に強く押し当てられる。カードトレイ３０がそのまま引き抜かれると、カード載置部３１に載置されているＳＩＭカード４０が、コネクタ本体２０に強く擦りつけられながら抜かれることになる。このため、ＳＩＭカードやコネクタ本体２０が傷付くおそれがある。本実施形態のカードトレイ３０は、軸部材３４を介して、上下方向に回転自在となっている。このため、下向きに回転させる力が外壁部３２に加わっても、その力はカード載置部３１には伝わらない。したがって、カード載置部３１に搭載されたＳＩＭカードやコネクタ本体２０に無用の力が加わることが回避される。
【００４７】
次に、本発明の第２実施形態について説明する。
【００４８】
この第２実施形態における、コネクタ本体は、上述の第１実施形態におけるコネクタ本体２０（図１参照）と同一である。したがって、ここでのコネクタ本体の図示および説明は省略し、カードトレイのみについて説明する。また、カードトレイについても上述の第１実施形態におけるカードトレイ３０の要素と対応する要素には、同一の符号を付して示し、相違点についてのみ説明する。
【００４９】
第２実施形態のカードトレイも、平面図上は、第１実施形態のカードトレイ３０の平面図（図３参照）と同一にあらわれる。したがって、ここでは、第２実施形態のカードトレイについての平面図の図示も省略する。
【００５０】
図５は、第２実施形態のカードトレイの、図３に示す矢印Ａ−Ａに沿う断面図である。この図５は、上述の第１実施形態のカードトレイにおける、図４に相当する図である。
【００５１】
この第２実施形態のカードトレイ３０の場合、外壁部３２の突出部３２４に設けられている貫通孔３２５が、挿抜方向（矢印Ｉ−Ｒ方向）に延び、中央に括れが形成された長孔形状を有する。すなわち、この貫通孔３２５は、矢印Ｒの向きに寄った断面円形の第１貫通孔３２５ａと矢印Ｉの向きに寄った断面円形の第２貫通孔３２５ｂとが相互に繋がって、中央に括れが形成された形状を有する。軸部材３４は、カード載置部３１に支持されていて、第１貫通孔３２５ａに入り込んだ第１支持位置と、第２貫通孔３２５ｂに入り込んだ第２支持位置との間で、適度なクリック感を伴って移動自在となっている。
【００５２】
図６は、第２実施形態のカードトレイの振る舞いを示した、カードトレイの側面図である。
【００５３】
図６（Ａ），（Ｂ）には、軸部材が第１支持位置に支持された状態における振る舞いが示されている。
【００５４】
軸部材３４が第１支持位置に支持されているときは、その軸部材３４を支持しているカード載置部３１の全体が、抜取りの向き（矢印Ｒの向き）に移動している。すなわち、このときは、カード載置部３１が外壁部３２の前面３２１に近づいた状態にある。
【００５５】
この状態では、カード載置部３１の取付腕３１３の、外壁部３２側の端面３１３ａが、外壁部３２にほぼ突き当てられている。このため、カード載置部３１は、外壁部３２に対し、上下方向の回転が制限されている。図６（Ｂ）では、カード載置部３１に対し外壁部３２が若干傾いた状態が示されている。第１支持位置にあるときは、この程度の回転量に制限される。
【００５６】
図６（Ｃ），（Ｄ）には、軸部材が第２支持位置に支持された状態における振る舞いが示されている。
【００５７】
軸部材３４が第２支持位置に支持されているときは、その軸部材３４を支持しているカード載置部３１の全体が、差込みの向き（矢印Ｉの向き）に移動している。すなわち、このときは、カード載置部３１が外壁部３２の前面３２１から相対的に遠ざかった状態にある。この状態では、カード載置部３１の取付腕３１３の端面３１３ａは、外壁部３２から離れた状態にある。このため、カード載置部３１は、外壁部３２に対し、上下方向に回転自在となっている。図６（Ｄ）では、カード載置部３１を水平状態とし、外壁部３２を上下方向に大きく傾けた状態が示されている。
【００５８】
図７は、第２実施形態のカードトレイの、機器筐体への挿抜の様子を順を追って示した模式図である。ここでは、コネクタ本体等は図示省略され、カードトレイと機器筐体との関係のみが示されている。
【００５９】
図７（Ａ）には、カードトレイ３０が示されている。この図７（Ａ）では、軸部材３４が、上述の第２支持位置にある（図６（Ｃ）（Ｄ）参照）。
【００６０】
軸部材３４が第２支持位置にあるときは、ユーザが軸部材３４を第２支持位置から第１支持位置（図７（Ａ）（Ｂ）参照）に移動させる（図７（Ｂ））。そして、第１支持位置にある状態のカードトレイ３０を機器筐体９０の差込口９１から差し込み（図７（Ｃ））、完全に差し込んだ状態とする（図７（Ｄ））。このとき、カードトレイ３０の外壁部３２の前面３２１は、機器筐体９０の外面９２の一部を成している。
【００６１】
次に、機器筐体９０の差込口９１に差し込まれた状態にあるカードトレイ３０の抜き取りを説明する。このときは、カードトレイ３０の外壁部３２に設けられた凹部３２３（図２参照）に指の爪を掛けて引き抜こうとする。すると、その引き抜こうとする力により第２支持位置に移動して（図７（Ｅ））、外壁部３２が下に傾く（図７（Ｆ））。そこで、今度は、その外壁部３２の全体を指で摘んで、図７（Ｇ）のように引き抜いていく。
【００６２】
外壁部３２とカード載置部３１は、軸部材３４（図２参照）により、上下方向に相対回転自在に連結されている。このため、カードトレイ３０の抜き取りにあたり、外壁部３２を上記の通り傾けながら、容易に抜き取ることができる。
【００６３】
次に、本発明の第３実施形態について説明する。
【００６４】
この第３実施形態におけるコネクタ本体も、第２実施形態の場合と同様、前述の第１実施形態におけるコネクタ本体２０（図１参照）と同一である。したがって、ここでのコネクタ本体の図示および説明は省略し、カードトレイのみ説明する。また、カードトレイについても、前述の第１実施形態におけるカードトレイ３０の要素と対応する要素には、同一の符号を付して示し、相違点についてのみ説明する。
【００６５】
図８は、第３実施形態のカードトレイの斜視図である。この図８は、前述の第１実施形態における図２に相当する図である。
【００６６】
図９は、第３実施形態のカードトレイの平面図である。この図９は、第１実施形態における図３に相当する図である。
【００６７】
図１〜図４に示した第１実施形態のカードトレイ３０の場合、外壁部３２が左右方向中央部に差込みの向き（矢印Ｉの方向）に突き出た突出部３２４を有する。これに対し、図８、図９に示す第３実施形態のカードトレイ３０の場合、カード載置部３１が、左右方向中央部に、取出しの向き（矢印Ｒの向き）に突き出た取付部３１５を有する。
【００６８】
また、第１実施形態のカードトレイ３０の場合、カード載置部３１が突出部３２４の左右両側に延びた一対の取付腕３１３を有する。これに対し、この第３実施形態のカードトレイ３０の場合、外壁部３２が、取付部３１５の左右両側に延びた一対の支持腕３２６を有する。これら支持腕３２６は、取付部３１５の左右両側であって、取付部３１５との間に隙間を空けた位置に延びている。これにより、カード載置部３１と外壁部３２との間には、左右方向に相対的は移動自在な遊びが形成されている。
【００６９】
図１０は、図９に示す矢印Ｂ−Ｂに沿う断面図である。
【００７０】
カード載置部３１の、取出しの向き（矢印Ｒの向き）に突き出た取付部３１５には、左右方向に貫通するとともに、挿抜方向（矢印Ｉ−Ｒの方向）に長く延びた長孔３１６が形成されている。
【００７１】
また、外壁部３２の、取付部３１５の左右両側に延びた一対の支持腕３２６には、取付部３１５に形成されている長孔３１６に連通する支持穴３２７が形成されている。軸部材３４は、長孔３１６を貫通し、一対の支持腕３２６の支持穴３２７に挿通されている。この軸部材３４は、一対の支持腕３２６に対し抜け取めされている。カード載置部３１は、長孔３１６に案内されて、挿抜方向（矢印Ｉ−Ｒの方向）に大きく移動自在となっている。
【００７２】
また、外壁部３２には、取出しの向き（矢印Ｒの向き）に移動してきたカード載置部３１の取付部３１５を受け容れる窪み部３２８が形成されている。取付部３１５が窪み部３２８内に入り込んでいる状態にあるときは、窪み部３２８の上下の内壁面により、カード載置部３１と外壁部３２の上下方向の相対的な回転が制限される。取付部３１５が窪み部３２８から抜き取られた状態にあるときは、カード載置部３１と外壁部３２は上下方向に相対的に大きく回転することができる。また、この取付部３１５には、指の爪を引掛ける引掛部３１７が形成されている。
【００７３】
図１１は、第３実施形態のカードトレイの、機器筐体への挿抜の様子を順を追って示した模式図である。この図１１は、前述の第２実施形態における、図７に対応する図である。この図１１においても、図７と同様、コネクタ本体等は図示省略され、カードトレイと機器筐体との関係のみが示されている。
【００７４】
カードトレイ３０の差込みにあたっては、先ず、図１１（Ａ）に示すように、機器筐体９０の差込口９１からカード載置部３１を少し差し込む。そして、カード載置部３１の取付部３１５の差込みの向き（矢印Ｉの向き）に後端面３１８を押すことで、カード載置部３１を機器筐体９０内に差し込む。この途中でカードトレイを引き抜く必要を生じたときは、図１０に示す引掛部３１７に爪を引掛けて引き抜くことができる。
【００７５】
こうして、カード載置部３１を、機器筐体９０内の適切な位置（不図示のコネクタ本体の受容空間２０Ａ（図１参照）内の正しい受容位置）に差し込む。その後、図１１（Ｂ），図１１（Ｃ）に示すようにして外壁部３２を倒れのない状態に立てる。そして、その外壁部３２を、図１１（Ｄ）のように機器筐体９０の差込口９１内に差し込む。
【００７６】
本実施形態の場合、このように、カード載置部３１が外壁部３２に対し、相対的に挿抜方向（矢印Ｉ−Ｒの向き）に大きく移動可能である。このため、コネクタ本体２０に奥行き方向（矢印Ｉ−Ｒ方向）の搭載位置ずれがあっても、カード載置部３１をコネクタ本体２０内の正しい受容位置に差し込むことができる。
【００７７】
ここで、コネクタ本体２０の搭載位置が機器筐体９０の差込口９１寄りに大きくずれていた場合を考える。この場合、トレイ載置部３１と外壁部３２の挿抜方向（矢印Ｉ−Ｒ方向）の相対位置が固定されていると、外壁部３２の前面３２１が機器筐体９０の外面から食み出た状態となるおそれもあり得る。
【００７８】
本実施形態の場合、カード載置部３１と外壁部３２が相対的に大きく移動可能である。したがって、本実施形態の場合、カード載置部３１を正しい受容位置に差し込んだ上で、外壁部３２を機器筐体９０の差込口９１内の正しい位置に差し込むことができる。
【００７９】
差し込まれているカードトレイ３０を抜き取るときは、外壁部３２の凹部３２３に指の爪を掛けて引き抜く（図１１（Ｅ））。途中まで引き抜くと、外壁部３２が下に倒れる（図１１（Ｆ））。そこで、途中からは、カード載置部３１の取付部３１５に設けられている引掛部３１７（図１０参照）に爪を引っ掛けて引き抜いてもよい（図１１（Ｇ））。
【００８０】
ここでは、この第３実施形態において、コネクタ本体２０の搭載位置が奥行き方向（矢印Ｉ−Ｒ方向）にずれていても、そのずれが補償されることについて説明した。ただし、この第３実施形態においても、コネクタ本体２０の左右方向の搭載位置ずれが補償される点は、前述の第１実施形態および第２実施形態の場合と同様である。
【００８１】
なお、ここでは、ＳＩＭカード４０が裏向きに（接続パッド４１を上に向けた姿勢で）カードトレイ３０に載置されるタイプのカードコネクタについて説明した。ただし、本発明は、カードトレイの下面にＳＩＭカードの接続パッドを露出させる開口が形成されたタイプのカードトレイを備えたカードコネクタにも、そのまま適用可能である。また、本発明は、ＳＩＭカード以外のカード載置するカードトレイを備えたカードコネクタにも、そのまま適用可能である。
【符号の説明】
【００８２】
１０  カードコネクタ
２０  コネクタ本体
２０Ａ  受容部
２０Ｂ  受容口
２１  金属シェル
３０  カードトレイ
３１  カード載置部
３１１  平板
３１２  枠
３１３  取付腕
３１３ａ  端面
３１４  取付穴
３１５  取付部
３１６  長孔
３１７  引掛部
３１８  後端面
３２  外壁部
３２１  前面
３２２  Ｏリング
３２３  凹部
３２４  突出部
３２５  貫通孔
３２６  支持腕
３２７  支持穴
３４  軸部材
９０  機器筐体
９１  差込口
９２  外面
【図１】
2016157556.tif 000003
【図２】
2016157556.tif 000004
【図３】
2016157556.tif 000005
【図４】
2016157556.tif 000006
【図５】
2016157556.tif 000007
【図６】
2016157556.tif 000008
【図７】
2016157556.tif 000009
【図８】
2016157556.tif 000010
【図９】
2016157556.tif 000011
【図１０】
2016157556.tif 000012
【図１１】
2016157556.tif 000013